(57)【特許請求の範囲】
【請求項１】
吸収体と、前記吸収体の一方の面を被覆する、少なくとも一部が液透過性材料からなるトップシートと、前記吸収体の他方の面に、前記吸収体に対して直接的または間接的に最外部に配設される外装体とを備えた吸収性物品であって、
前記外装体は、前記吸収体とは反対面側に、前記外装体の一部を谷折りした状態で保持可能である保持手段および前記外装体の谷折りさせるべき部位が認識できるマーカーを備え、
前記保持手段が、粘着面であり、
前記粘着面は、横方向および／または縦方向に、ミシン目を入れた剥離紙で覆われ、
前記ミシン目に沿って、剥離紙を、一部分だけを切り取って剥がすことが可能である吸収性物品。
【請求項２】
前記保持手段および前記マーカーが前記外装体において、前記吸収体の幅方向側縁部近傍に少なくとも１組配設されている請求項１に記載の吸収性物品。
【請求項３】
前記保持手段および前記マーカーが前記外装体において、前記吸収体の長手方向側縁部近傍に少なくとも１組配設されている請求項１または２に記載の吸収性物品。
【請求項４】
前記粘着面が、長さ方向において、幅狭部と幅広部とを有する粘着面である請求項１〜３のいずれか一項に記載の吸収性物品。
【発明の詳細な説明】
【技術分野】
【０００１】
本発明は、漏れを減少させることが可能な吸収性物品に関するものである。
【背景技術】
【０００２】
近年、乳幼児用、或いは高齢者・障害者用のおむつとして、吸収体と、吸収体の上面を被覆するように配置され、少なくとも一部が液透過性材料からなるトップシートと、吸収体の下面を被覆するように配置され、液不透過性材料からなるバックシートとを備えた使い捨ておむつが汎用されている。この使い捨ておむつは、トップシートの表面を着用者の肌に接するように宛がって使用することにより、着用者の排泄した尿はトップシートを透過して、吸収体によって吸収・保持されるとともに、防漏性に優れたバックシートによって、排泄物のおむつ外部への漏洩が防止されるというものである。
【０００３】
そして、このようなおむつにおいては、排泄物がおむつ縦方向へ拡散することを抑えるために、立体ギャザーを幅方向に配置し、それを縦方向に複数本配置したものがある（特許文献１）。しかしながら、流れ方向に対して垂直に立体ギャザーを複数配置するのは構成が非常に複雑であり、設備も非常に煩雑となってしまう。
【０００４】
また、側臥位対応おむつとして、片側だけ吸収量を多くする等の対策をしたものがある（特許文献２）。しかしながらこのようなおむつを採用すると、複数の着用者が存在する施設等では、右向き寝用、左向き寝用の両方を揃える必要があり、在庫スペースの無駄が発生してしまう。
【特許文献１】特開平１０−５７４０９号公報
【特許文献２】特開２００３−１８０７２１号公報
【発明の開示】
【発明が解決しようとする課題】
【０００５】
これらの文献に記載されたおむつ等においては、液漏れ防止を期待することができる。しかしながら、実際の着用者の体型や、麻痺の有無等により脚周りの太さが違う等の着用者の個体差に十分に対応することはできないという課題を有する。また、特許文献１または２の技術では、製造工程が複雑となりコスト増となるという課題を有する。
【課題を解決するための手段】
【０００６】
本発明者らは上記課題を解決すべく鋭意検討した結果、以下に示す特定の構成によって、上記課題を解決することが可能であることを見出し、本発明を完成するに至った。即ち、本発明によれば、以下に示す吸収性物品が提供される。
【０００７】
［１］  吸収体と、前記吸収体の一方の面を被覆する、少なくとも一部が液透過性材料からなるトップシートと、前記吸収体の他方の面に、前記吸収体に対して直接的または間接的に最外部に配設される外装体とを備えた吸収性物品であって、前記外装体は、前記吸収体とは反対面側に、前記外装体の一部を谷折りした状態で保持可能である保持手段および前記外装体の谷折りさせるべき部位が認識できるマーカーを備え、前記保持手段が、粘着面であり、前記粘着面は、横方向および／または縦方向に、ミシン目を入れた剥離紙で覆われ、前記ミシン目に沿って、剥離紙を、一部分だけを切り取って剥がすことが可能である吸収性物品。
【０００８】
［２］  前記保持手段および前記マーカーが前記外装体において、前記吸収体の幅方向側縁部近傍に少なくとも１組配設されている上記［１］に記載の吸収性物品。
【０００９】
［３］  前記保持手段および前記マーカーが前記外装体において、前記吸収体の長手方向側縁部近傍に少なくとも１組配設されている上記［１］または[２]に記載の吸収性物品。
【００１０】
［４］  前記粘着面が、長さ方向において、幅狭部と幅広部とを有する粘着面である上記［１］〜［３］のいずれかに記載の吸収性物品。
【発明の効果】
【００１３】
本発明においては、吸収性物品において、外装体に、前記吸収体とは反対面側に、前記外装体の一部を谷折りした状態で保持可能である保持手段および前記外装体の谷折りさせるべき部位が認識できるマーカーを配設したので、吸収体ごとつまむようにして保持手段で固定してトップシートを隆起させることにより、吸収体による堰を設けることができるので、尿および便の漏れを防ぐことが可能となる。
【００１４】
また、保持手段をおむつの幅方向に配置し、それを縦方向に複数配置すれば、排泄物のおむつの縦方向への拡散を防ぐことができるので、尿、および軟便・水様便の拡散を防ぐことが可能となる。
【００１５】
また、保持手段をおむつの吸収体の側縁部近傍に縦方向に配置すれば、脚周りに沿って吸収体を隆起させて堰を作ることができるので、いわゆる横漏れを防ぐことができる。ここで、着用者が右向き、または左向き等、寝る姿勢がほぼ決まっている場合には、体の下側になる方だけに堰を作ることにより、効果的に漏れを防ぐことができると共に、反対側は堰を設けないので、股下部の違和感を軽減し、着用者の不快感を軽減することができることとなる。これにより１枚のおむつで右向き寝、左向き寝の両方に対応することができる。
【００１６】
さらに、本発明の吸収性物品においては、外装体において、外装体を谷折りさせるべき部位が認識できるマーカーを備えているので、着用者はマーカーに従って外装体を谷折りすることにより、容易に堰を形成させることができる。
【００１７】
また、保持手段としての粘着面を備えた本発明の一実施形態に係る吸収性物品は、上記のメリットに加えて、製造者にとっては安価に製造でき、また薄くコンパクトな状態で包装できるので保管・運搬しやすいというメリットを有し、同時に着用者にとっては、手軽に外装体の一部を谷折りした状態で保持させることができ、容易に堰を形成することができるというメリットを併せ持つ。
【００１８】
粘着面が剥離紙で覆われている本発明の一実施形態に係る吸収性物品は、上記のメリットに加えて、取り扱いが容易であるというメリットを有する。
【００１９】
前記粘着面が、横方向および／または縦方向に、ミシン目を入れた剥離紙で覆われ、前記ミシン目に沿って、剥離紙を、一部分だけを切り取って剥がすことが可能である本発明の一実施形態に係る吸収性物品は、上記のメリットに加えて、剥離紙を部分的に剥離させることにより、トップシートの凸状の部位の形状を調節することができ、容易に着用者の体型や、麻痺の有無等により脚周りの太さが違う等の個体差により合わせた形状とすることができる。
【発明を実施するための最良の形態】
【００２０】
以下、本発明の吸収性物品を実施するための最良の形態について図面を参照しながら具体的に説明する。剥離紙およびミシン目の形態については、図７および図８に示し、他の図においては捨象する。但し、本発明はその発明特定事項を備える吸収性物品を広く包含するものであり、以下の実施形態に限定されるものではない。
【００２１】
［１］本発明の吸収性物品の構成：
本発明の吸収性物品は、吸収体と、前記吸収体の一方の面を被覆する、少なくとも一部が液透過性材料からなるトップシートと、前記吸収体の他方の面に、前記吸収体に対して直接的または間接的に最外部に配設される外装体とを備えた吸収性物品であって、前記外装体は、前記吸収体とは反対面側に、前記外装体の一部を谷折りした状態で保持可能である保持手段および前記外装体の谷折りさせるべき部位が認識できるマーカーを備え、前記保持手段が、粘着面であり、前記粘着面は、横方向および／または縦方向に、ミシン目を入れた剥離紙で覆われ、前記ミシン目に沿って、剥離紙を、一部分だけを切り取って剥がすことが可能であるように構成されているものである。
【００２２】
吸収性物品の一実施形態である使い捨ておむつにおいては、着用者の股下と、おむつのトップシートとによって区画される狭い空間が形成されている。着用者から排泄された便・尿は、この空間が存在するために、この空間を介しておむつ上をおむつの前後方向または左右方向に急激に拡散してしまい、おむつ端部（特に背側の端部）から漏れが発生する場合がある。
【００２３】
これに対し、本発明の吸収性物品の第一の実施形態である使い捨ておむつ１においては、図１〜図３に示すように、外装体としてのバックシート２０の外側（吸収体２２とは反対側）に、保持手段としての粘着面５２が配設されている。そして、この粘着面５２は剥離紙５４により粘着面５２が外部から保護されている。さらに、図１および図３に示すように、外装体としてのバックシート２０の外側には、粘着面５２の長手方向中央部にマーカー５０が配設されている。このため、着用者は、任意に前記剥離紙５４を剥がして、前記マーカー５０に沿って、マーカー５０の両側の粘着面５２を互いに貼り合わせることにより、図４に示すように、おむつのセンターシート１８に堰としての凸部６６を形成することができる。この構成により、排泄物がおむつの長さ方向端部から漏れることが防止される。
【００２４】
［１−１］外装体：
（１−１−１）バックシート
本発明の一実施形態である使い捨ておむつにおける外装体としてのバックシートは、着用者の身体を被包するための装着機能を担う部材であり、具体的には、前身頃、股下部及び後身頃の各部を形成するシート状の部材である。バックシートは、吸収体の下面（おむつの装着時において着用者の着衣側に位置する面）を被覆するように配置される。バックシートは、着用者の尿がおむつ外部に漏洩してしまうことを防止する必要から、液不透過性材料によって構成される。
【００２５】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００２６】
（１−１−２）カバーシート
バックシートには、その外表面側にシート材（カバーシート）を貼り合わせてもよい。このカバーシートは、バックシートを補強し、バックシートの手触り（触感）を良好なものとするために用いられる。なお、カバーシートを採用した本発明の一実施形態においては、カバーシートが外装体となる。図１４は、カバーシート１６を採用した本発明の第十の実施形態を示す図面である。
【００２７】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００２８】
［１−２−１］保持手段：
本発明の一実施形態である使い捨ておむつにおける外装体は、保持手段を備える。保持手段は、外装体の外側面（以下説明する吸収体とは反対側の面）において、前記外装体の一部を谷折りした状態で保持可能である。保持手段としての粘着面５２は、上記図１〜４に示されたような上記外装体としてのバックシート２０の外側に配設される。この粘着面５２は使い捨ておむつ１の幅方向に沿って配設されているので、使い捨ておむつ１をマーカー５０を中心に谷折りし、粘着面５２を互いに粘着させることにより、背漏れ防止用の堰を形成することが可能となる。
【００２９】
図５は、本発明の吸収性物品の第二の実施形態である使い捨ておむつを展開し、おむつの外装体側から見た状態を示す平面図である。保持手段としての粘着面５２は、図５に示すように、おむつの長さ方向に平行に、おむつの脚周り開口部に沿って、配設することもできる。この場合、保持手段を作用させることにより、おむつの内部に凸部を形成させることができ、この凸部は、おむつの脚周り開口部から排泄物等が漏れる、いわゆる横漏れを防止する堰として機能する。
【００３０】
保持手段としての粘着面５２は上記図１で示したような矩形形状に限定されない。図９は、本発明の吸収性物品の第六の実施形態に使用する保持手段としての粘着面の様子を示す模式的平面図である。図９に示すような、長さ方向において幅狭部と幅広部とを有する粘着面５２を採用すると、おむつ内部に高さの異なる凸部を形成することが可能となり、よりフィット性を高めることができる。また、保持手段としての粘着面５２の形状はこれら以外の形状とすることもできる。たとえば、ひし形形状とすれば、長さ方向中央部が盛り上がった凸部をおむつ内部に形成することができるし、ひょうたん形状または砂時計形状とすれば、長さ方向両端が盛り上がった凸部をおむつ内部に形成することができる。
【００３２】
［１−２−２］剥離紙：
本発明の吸収性物品は、保持手段として粘着面を採用し、粘着面の外装体とは反対側に剥離紙を配設する。剥離紙は着用者により任意に剥がされるまで、保持手段としての粘着面を保護する作用を有する。図１に示すように、剥離紙５４は、粘着面５２と相似形でかつ粘着面５２よりもやや大きい形状が好ましい。
【００３３】
剥離紙には、図７および図８に示すように横方向または縦方向にミシン目を入れておく。図７は本発明の吸収性物品の第四の実施形態に使用する保持手段としての粘着面と剥離紙の様子を示す模式的平面図である。この実施形態によれば、剥離紙を必ずしも全て剥がす必要は無くなり、必要に応じて、剥離紙をミシン目に沿って一部分だけ切り取って剥がすことにより、外装体の一部分だけを粘着面により貼付することが可能となる。これにより、着用者の体型、麻痺等の症状等にあわせて各個人の状態に適したおむつ内部の位置に、堰として働くおむつ内部の凸部を局所的に設けることが可能となり、個人差に合わせたフィット性を付与することが可能となる。
【００３４】
図８は、本発明の吸収性物品の第五の実施形態に使用する保持手段としての粘着面と剥離紙の様子を示す模式的平面図である。この実施形態によれば、剥離紙を必ずしも全て剥がす必要は無くなり、必要に応じて、剥離紙をミシン目に沿って一部分だけ切り取って剥がすことにより、外装体の一部分だけを粘着面により貼付することが可能となる。これにより、着用者の体型、麻痺等の症状等にあわせて各個人の状態に適したおむつ内部の位置に、堰として働くおむつ内部の凸部の高さを調節することが可能となり、個人差に合わせたフィット性を付与することが可能となる。
【００３５】
なお、図７および図８のミシン目は両方同時に配設しても良い。この場合には、おむつ内部の凸部を局所的に設けることが可能となり、かつ、おむつ内部の凸部の高さを調節することが可能となる。この構成によれば、より個人差に合わせたきめの細かいフィット性を付与することが可能となる。
【００３６】
［１−３］マーカー：
本発明の一実施形態である使い捨ておむつにおける外装体は、マーカーを備える。マーカーは、外装体の外側面（以下説明する吸収体とは反対側の面）において、外装体における谷折りさせるべき部位を指示可能である。マーカーとしては図１に示すように、外装体としてのバックシート２０の外側面においてインク等で実際に引いた線を例示することができる。このように形成すれば、着用者は容易に外装体の谷折りすべき部位を特定することができ、手軽におむつ内部に凸部を形成させることができる。なお、マーカーとしては、外装体の外側面において、インク等で実際に引いた線に限定されず、着用者が外装体の外側面における吸収体の幅方向中央部付近を谷折りする際の目印となるものであればいずれでも良い。図１０は本発明の吸収性物品の第七の実施形態に使用する保持手段としての粘着面とマーカーの様子を示す概略平面図である。１０Ａに示すとおり、マーカー５０は保持手段としての粘着面５２の近傍に、粘着面５２とは離して、粘着面５２の長手方向と平行な直線とすることができる。また、１０Ｂに示すとおり、マーカー５０は、粘着面５２の両端の重ね合わせるべき部位を示す丸印等とすることもできる。また、粘着材に着色したものを用いることにより、重ね合わせる粘着面が容易に認識できるものであっても良い。さらに、マーカーの位置は、外側から視認可能であれば、一番外側に限らず、カバーシートの内側、バックシートの外側、内側、吸収体の下面に配置される親水性シートの外側、内側でもよい。
【００３７】
上記マーカーにはさらに、目盛りを設けてもよい。図６は本発明の吸収性物品の第三の実施形態である使い捨ておむつを展開し、おむつの外装体側から見た状態を示す平面図である。図６においては、外装体の外側面においてマーカー５０に加えて、マーカーに垂直な線を示す補助マーカー５６が配設されている。さらに、マーカー５０および補助マーカー５６には、目盛り５８が配設されている。マーカー５０に設けられた目盛り５８により着用者はおむつ内面の凸部の長さを調節する目安とすることができる。また、補助マーカー５６に設けられた目盛り５８により着用者は、堰として働く、おむつ内面の凸部の高さを調節する目安とすることができる。
【００３８】
［１−４］吸収体：
吸収体は、着用者の尿を吸収し、保持するための部材で吸収性材料によって構成される。
【００３９】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。
【００４０】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００４１】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。
【００４２】
吸収体は、その全体が親水性シートによって包み込まれていることが好ましい。このような構成は、吸収体からＳＡＰが漏洩することを防止し、吸収体に形状安定性を付与することができるという利点がある。
【００４３】
吸収体の形状については特に制限はないが、従来の使い捨ておむつ、その他の吸収性物品において使用される形状、例えば、矩形状、砂時計型、ひょうたん型、Ｔ字型等を挙げることができる。
【００４４】
［１−５］トップシート：
本発明の一実施形態である使い捨ておむつにおけるトップシートは、吸収体の上面（おむつの装着時において着用者の肌側に位置する面）を被覆するように配置されるシートである。トップシートは、その下面側に配置された吸収体に、着用者の尿を吸収させる必要から、その少なくとも一部（全部ないし一部）が液透過性材料により構成される。
【００４５】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。
【００４６】
トップシートは単一のシート材によって構成されていてもよいが、複数のシート材によって構成されていてもよい。例えば、テープ型おむつにおいては、おむつの中央部には液透過性材料からなるトップシート（センターシート）を配置し、おむつのサイドフラップ部分には撥水性材料からなるトップシート（サイドシート）を配置する形態がよく利用される。
【００４７】
［１−６］立体ギャザー：
立体ギャザーは、着用者の排泄した尿の横漏れを防止するための部材であり、立体的に起立可能なように構成された防漏壁である。この立体ギャザーを形成することにより、トップシートの上に尿が排泄され、トップシートを伝って尿が拡散してしまった場合でも、立体ギャザーが防波堤となり、おむつの脚周り開口部等からの漏れ（いわゆる「横漏れ」）を有効に防止することができる。
【００４８】
立体ギャザーの構成は、従来の使い捨ておむつ、その他の吸収性物品に使用される構成を採用することができる。例えば、シート材の一部に伸縮材（立体ギャザー伸縮材）を配置し、その立体ギャザー伸縮材によってシート材にギャザー（襞）を形成したもの等を好適に用いることができる。
【００４９】
立体ギャザーを構成するシート材としては、立体ギャザーの防漏性を向上させるという観点から、撥水性材料を用いる。撥水性材料としては、スパンボンドやカードエンボス等の不織布を用いてもよいが、耐水圧が高いという理由から、ＳＭＳ（スパンボンド／メルトブロー／スパンボンド）、ＳＭＭＳ（スパンボンド／メルトブロー／メルトブロー／スパンボンド）等の不織布を用いることが好ましい。
【００５０】
立体ギャザーは、トップシートやバックシートを折り返すことにより形成することができる。また、立体ギャザーは、トップシート、バックシート等とは全く別個のシート材を貼り合わせて形成することができる。
【００５１】
立体ギャザーは、尿の横漏れを防止するという目的から、吸収体の両側に形成されていることが好ましい。中でも、吸収体の両側縁部に沿って形成されていることが好ましい。こうすることにより、トップシート上に尿が排泄され、瞬時に吸収しきれなかった尿が拡散してしまった場合でも、立体ギャザーが確実に防波堤としての機能を果たし、脚周り開口部からの横漏れを有効に防止することができる。
【００５２】
例えば、図１〜図３に示す使い捨ておむつ１の場合には、吸収体２２の両側縁部までセンターシート１８が配置されており、立体ギャザー２６をそのセンターシート１８の両側縁、即ち、吸収体２２の両側縁に沿って形成した例である。なお、図１〜図３に示す使い捨ておむつ１は、立体ギャザー２６が吸収体２２の両側縁全域に渡って形成された例であるが、尿の横漏れを防止するという目的から、少なくともおむつの股下部に相当する部分に配置されていればよい。
【００５３】
なお、使い捨ておむつにおいては、少なくとも一対の立体ギャザーが形成されていることが好ましいが、二対以上形成されていてもよい。また、保持手段およびマーカーの組が吸収体の幅方向側縁部近傍に少なくとも１組配設されている本発明の一実施形態、例えば、図５に示した使い捨ておむつ等においては、立体ギャザーを省略することができる。
【００５４】
［１−７］各種伸縮材：
使い捨ておむつにおいては、脚周り伸縮材を配置したり、ウエスト周り伸縮材を配置することがよく知られている。
【００５５】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００５６】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつの背・腹側からの漏れが防止される。
【００５７】
なお、図１〜図３に示す使い捨ておむつ１は、脚周り開口部の周縁には脚周り伸縮材４０を配置し、ウエスト周り開口部の周縁にはウエスト周り開口部の近傍にウエスト周り伸縮材４２を配置した例である。
【００５８】
これらの伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等をあげることができる。そして、ギャザーの収縮の程度等を勘案した上で、構成材料、その材料の伸長率、固定時の伸長状態等を決定すればよい。
【００５９】
［１−８］その他の実施形態：
本発明の吸収性物品の一実施形態に係る使い捨ておむつにおいては、上記の構成に加えて、トップシートおよび／または外装体にエンボスを設けても良い。図１２および図１３は本発明の吸収性物品の第九の実施形態である使い捨ておむつを示す要部概略図である。図１２に示すようにマーカーとしてエンボスを採用することにより、マーカー兼用エンボス６２をバックシート２０の外側に配設し、図１２に示すようにトップシートにおける、マーカー兼用エンボス６２に対応する部位からやや離れた部位に、マーカー兼用エンボス６２と平行にエンボス６４を配設しても良い。これにより、図１３に示すように、容易にバックシート２０の所定部位を谷折り状にすることができ、容易におむつの内面に凸部６６を形成することができる。
【００６０】
本発明の吸収性物品の一実施形態に係る使い捨ておむつにおいては、図１に示した保持手段（背（腹）漏れ防止堰形成用保持手段）と図５に示した保持手段（横漏れ防止堰形成用保持手段）を同時に採用しても良い。また、本発明の吸収性物品の一実施形態に係る使い捨ておむつにおいては、その他の保持手段をさらに配設しても良い。図１１は、本発明の吸収性物品の第八の実施形態である使い捨ておむつを展開し、おむつの外装体側から見た状態を示す概略平面図である。図１１に示す使い捨ておむつにおいては、図１に示した保持手段である、背（腹）漏れ防止堰形成用保持手段Ｓ１、Ｓ２と図５に示した保持手段である、横漏れ防止堰形成用保持手段Ｔ１、Ｔ２とを双方備えている。図１１に示す使い捨ておむつにおいては、さらに、股下用凸部形成用保持手段Ｕを備えている。股下用凸部形成用保持手段Ｕは、股下に沿った凸部を形成するためのものであり、この凸部により、着用者の排泄した尿をすばやく吸収体に吸収させることができ、かつ、着用者に良好なフィット感が与えられる。また、図１１に示した保持手段のうち、背（腹）漏れ防止堰形成用保持手段Ｓ１、Ｓ２と股下用凸部形成用保持手段Ｕとの組み合わせからなる使い捨ておむつ、横漏れ防止堰形成用保持手段Ｔ１，Ｔ２と股下用と股下用凸部形成用保持手段Ｕとの組み合わせからなる使い捨ておむつなどであってもよい。
【００６１】
なお、「テープ型使い捨ておむつ」とは、図１〜図３に示すように、吸収体と、吸収体の上面を被覆するように配置され、少なくとも一部が液透過性材料からなるトップシートと、吸収体の下面を被覆するように配置され、液不透過性材料からなるバックシートとを備えるとともに、前身頃、股下部及び後身頃の各部から構成されており、後身頃の左右の各側縁から延出するように配置され、前身頃と後身頃とを固定するための止着テープ１０を更に備え、止着テープによっておむつの前身頃と後身頃とを相互に固定し得る使い捨ておむつを意味するものとする。止着テープの先端側領域にはメカニカルファスナーのフック材４６を、おむつの前身頃の部分にフロントパッチとしてメカニカルファスナーのループ材４７を配置してもよい。
【００６２】
また、「パンツ型使い捨ておむつ」とは、前身頃と後身頃の対応する側縁部同士を接合することによって、一つのウエスト周り開口部及び一対の脚周り開口部が形成され、予めパンツ型に構成されたおむつを意味するものとする。
【００６３】
更に、「１ピースタイプ」とは、トップシート、バックシート、吸収体を備えているが、吸収・保持機能を担う吸収体がトップシートとバックシートの間に介装（内蔵）され、装着機能を担うトップシート及び／又はバックシートと一体的に構成されたタイプのおむつを意味するものとする。
【００６４】
一方、「２ピースタイプ」とは、着用者の排泄物を吸収し、保持する機能（吸収・保持機能）を担う吸収性本体と、着用者の身体を被包する機能（装着機能）を担う外装体とから構成され、外装体の内側に吸収性本体が配置されたタイプのおむつを意味するものとする。ここで「吸収性本体」とは、吸収体、トップシート及びバックシートを構成要素として備えた部材である。
【００６５】
本発明の吸収性物品は、吸収体と、前記吸収体の一方の面を被覆する、少なくとも一部が液透過性材料からなるトップシートと、前記吸収体の他方の面に、前記吸収体に対して直接的または間接的に最外部に配設される外装体とを備えた吸収性物品であって、前記外装体は、前記吸収体とは反対面側に、前記外装体の一部を谷折りした状態で保持可能である保持手段および前記外装体の谷折りさせるべき部位が認識できるマーカーを備えている点に特徴があり、前記吸収体、前記トップシート、前記外装体、前記保持手段および前記マーカーを備えている限り、特に制限されるものではない。
【００６６】
例えば、テープ型の使い捨ておむつであってもよいし、パンツ型の使い捨ておむつであってもよい。また、パンツ型使い捨ておむつの場合には、それが１ピースタイプのものであってもよいし、２ピースタイプのものであってもよい。更には、使い捨ておむつに限らず、尿パッド等であってもよい。
【００６７】
尿パッドである本発明の一実施形態に係る吸収性物品は、前記トップシートと、前記吸収体と、前記外装体としてのバックシートとを備えており、前記保持手段は、前記外装体としてのバックシートを所定の形状に保持可能とすることができる。
【００６８】
［２］製造方法：
以下、本発明の使い捨ておむつを製造する方法の一例を、図１〜図３に示す吸収性物品としての使い捨ておむつ１（１ピースタイプのテープ型おむつ）を製造する場合の例により説明する。
【００６９】
［２−１］：
バックシート２０上面に、親水性シートに包まれた吸収体２２及び脚周り伸縮材４０を配置し、更にその上面にトップシートを配置する。この際、トップシートはセンターシート１８とサイドシート１５の２種類が使用される。サイドシート１５は、一方の端部を折り返し、その折返し部分に、２本の立体ギャザー伸縮材３６を挟み込んだ状態で貼り合わせることによって、立体ギャザー２６が形成されている。また、バックシート２０には、マーカー５０となるラインがあらかじめ印刷されている。
【００７０】
［２−２］保持手段の製造：
バックシート２０の外面の所定位置に、片面に剥離紙が貼付されている粘着シートの剥離紙とは反対側の面を貼着する。
【００７１】
前記のような一連の工程は、機械的な手段によって連続的に行うことが可能である。例えば、長尺のシート材や伸縮材をローラーから連続的に送出する等の方法・装置を採用することにより、使い捨ておむつの連続製造が可能となり、生産性の向上に資する。
【産業上の利用可能性】
【００７２】
本発明の吸収性物品は、乳幼児用、或いは介護を必要とする高齢者や障害者等の成人用の使い捨ておむつ及びその補助部材として好適に利用することができる。
【図面の簡単な説明】
【００７３】
【図１】本発明の吸収性物品の第一の実施形態である使い捨ておむつを展開し、おむつの外装体側から見た状態を示す平面図である。
【図２】本発明の吸収性物品の第一の実施形態である使い捨ておむつを展開し、おむつの吸収性本体側から見た状態を示す平面図である。
【図３】本発明の吸収性物品の第一実施形態である使い捨ておむつの概略断面図であり、図２に示す使い捨ておむつをＸ−Ｘ’線に沿って切断した断面を示す概略断面図である。
【図４】本発明の吸収性物品の第一の実施形態である使い捨ておむつの概略断面図であり、図３に示す使い捨ておむつを保持手段により保持させた状態を示す図である。
【図５】本発明の吸収性物品の第二の実施形態である使い捨ておむつを展開し、おむつの外装体側から見た状態を示す概略平面図である。
【図６】本発明の吸収性物品の第三の実施形態に使用する保持手段としての粘着面とマーカーの様子を示す模式的平面図である。
【図７】本発明の吸収性物品の第四の実施形態に使用する保持手段としての粘着面と剥離紙の様子を示す模式的平面図である。
【図８】本発明の吸収性物品の第五の実施形態に使用する保持手段としての粘着面と剥離紙の様子を示す模式的平面図である。
【図９】本発明の吸収性物品の第六の実施形態に使用する保持手段としての粘着面の様子を示す模式的平面図である。
【図１０】本発明の吸収性物品の第七の実施形態に使用する保持手段としての粘着面とマーカーの様子を示す模式的平面図である。
【図１１】本発明の吸収性物品の第八の実施形態である使い捨ておむつを展開し、おむつの外装体側から見た状態を示す概略平面図である。
【図１２】本発明の吸収性物品の第九の実施形態である使い捨ておむつの要部概略断面図である。
【図１３】本発明の吸収性物品の第九の実施形態である使い捨ておむつの要部概略断面図であり、図１２に示す使い捨ておむつを保持手段により保持させた状態を示す図である。
【図１４】本発明の吸収性物品の第十の実施形態である使い捨ておむつの概略断面図である。
【符号の説明】
【００７４】
１：使い捨ておむつ（吸収性物品）、１０：止着テープ、１５：サイドシート、１６：カバーシート、１８：センターシート、２０：バックシート、２２：吸収体、２６：立体ギャザー、３６：立体ギャザー伸縮材、４０：脚周り伸縮材、４２：ウエスト周り伸縮材、４６：フック材、４７：ループ材、５０：マーカー、５２：粘着面（保持手段）、５４：剥離紙、５６：補助マーカー、５８：目盛り、６０：ミシン目、６２：マーカー兼用エンボス、６４：エンボス、６６：凸部（堰）、Ｓ１，Ｓ２：背（腹）漏れ防止堰形成用保持手段、Ｔ１，Ｔ２：横漏れ防止堰形成用保持手段、Ｕ：股下用凸部形成用保持手段。
【図１】
0005053880.tif 000002
【図２】
0005053880.tif 000003
【図３】
0005053880.tif 000004
【図４】
0005053880.tif 000005
【図５】
0005053880.tif 000006
【図６】
0005053880.tif 000007
【図７】
0005053880.tif 000008
【図８】
0005053880.tif 000009
【図９】
0005053880.tif 000010
【図１０】
0005053880.tif 000011
【図１１】
0005053880.tif 000012
【図１２】
0005053880.tif 000013
【図１３】
0005053880.tif 000014
【図１４】
0005053880.tif 000015